(57)【要約】【課題】定期券として使用するモバイル端末と通信可能な自動改札機において、定期券の期限切れが近い場合に当該自動改札機及び当該モバイル端末に期限切れ案内を行うモバイル端末及び自動改札機又はこれらを用いた自動改札システムを提供する。【解決手段】  モバイル端末７０は、自動改札機３０からの乗車情報要求（Ｓ１）を受信すると、記憶部７３にアクセスして（Ｓ２）乗車情報を読取り（Ｓ３）、当該乗車情報を当該自動改札機３０に送信する（Ｓ４）。また、当該乗車情報の中の有効期限情報が所定の要件を満たす場合には、操作表示部７１に対して期限切れ注意文言を表示し（Ｓ６）、振動部７４を所定時間駆動する（Ｓ７）。【選択図】  図２
2012230497.tif 000002
【特許請求の範囲】
【請求項１】
自動改札機と非接触通信可能なモバイル端末であって、
前記自動改札機と非接触で送受信可能な通信部と、
当該モバイル端末を乗車券として使用する場合の乗車情報を記憶する記憶部と、
当該モバイル端末への入出力手段としての操作表示部と、
当該モバイル端末を振動させる振動部と、
前記自動改札機から受信した乗車情報要求に基づいて、前記記憶部にアクセスして読出した乗車情報を当該モバイル端末の通信部を介して前記自動改札機に送信し、当該モバイル端末の通信部が前記自動改札機から受信した期限切れ判定結果に基づいて、前記操作表示部に有効期限切れの注意文言を表示し、かつ、前記振動部を駆動する制御部と、
を備えたことを特徴とするモバイル端末。
【請求項２】
前記モバイル端末の制御部は、
前記期限切れ判定結果に基づく当日が期限切れ前の所定の期間に含まれる場合に前記操作表示部に有効期限切れの注意文言を表示し、かつ、前記振動部を起動することを特徴とする請求項１に記載のモバイル端末。
【請求項３】
前記モバイル端末の制御部はまた、
前記期限切れ判定結果に基づく当日が期限切れ後の所定の期間に含まれ、かつ、当該期限切れ判定結果の回数が所定の回数に到達していなければ、前記操作表示部に対して期限切れ注意文言を表示し、かつ、前記振動部を駆動することを特徴とする請求項１又は請求項２に記載のモバイル端末。
【請求項４】
モバイル端末と、非接触通信可能な自動改札機であって、
前記モバイル端末と非接触で送受信可能な通信部と、
前記モバイル端末から送信された乗車情報の中の有効期限の終了年月日前の所定の期間に期限切れ案内を行う案内表示部と、
当該自動改札機への入出場の可否を行うゲートと、
前記通信部、案内表示部及びゲートと接続され、これらを制御する制御部と、
を備え、
前記制御部は、
前記通信部が前記モバイル端末から受信した乗車情報の乗車判定を行う乗車判定手段と、
この乗車判定手段による乗車判定結果に基づいて前記ゲートを駆動する駆動手段と、
前記モバイル端末が定期券として使用された当日が、当該定期券の終了年月日前の所定の期間内に含まれるか判定する期限切れ判定手段と、
前記当日が当該所定の期間内に含まれる場合には、期限切れ案内文言を前記案内表示部に出力する案内表示手段と、
を備え、前記乗車判定結果及び期限切れ判定手段による期限切れ判定結果を判定情報として前記通信部を介して前記モバイル端末に送信することを特徴とする自動改札機。
【請求項５】
モバイル端末と、このモバイル端末と非接触通信可能な自動改札機とを有して構成された自動改札システムであって、
前記自動改札機は、
前記モバイル端末と非接触で送受信可能な通信部と、
当該モバイル端末から送信された乗車情報の中の有効期限の終了年月日前の所定の期間に期限切れ案内を行う案内表示部と、
当該自動改札機への入出場の可否を行うゲートと、
前記通信部、案内表示部及びゲートと接続され、これらを制御する制御部と、
を備え、
前記制御部は、
前記通信部が前記モバイル端末から受信した乗車情報の乗車判定を行う乗車判定手段と、
この乗車判定手段による乗車判定結果に基づいて前記ゲートを駆動する駆動手段と、
前記モバイル端末が定期券として使用された当日が、当該定期券の終了年月日前の所定の期間内に含まれるか判定する期限切れ判定手段と、
前記当日が当該所定の期間内に含まれる場合には、期限切れ案内文言を前記案内表示部に出力する案内表示手段と、
を備え、前記乗車判定結果及び期限切れ判定手段による期限切れ判定結果を判定情報として前記通信部を介して前記モバイル端末に送信し、
前記モバイル端末は、
前記自動改札機と非接触で送受信可能な通信部と、
当該モバイル端末を乗車券として使用する場合の乗車情報を記憶する記憶部と、
当該モバイル端末への入出力手段としての操作表示部と、
当該モバイル端末を振動させる振動部と、
前記自動改札機から受信した乗車情報要求に基づいて、前記記憶部にアクセスして読出した乗車情報を当該モバイル端末の通信部を介して前記自動改札機に送信し、当該モバイル端末の通信部が前記自動改札機から受信した期限切れ判定結果に基づいて、前記操作表示部に有効期限切れの注意文言を表示し、かつ、前記振動部を駆動する制御部と、
を備えたことを特徴とする自動改札システム。
【発明の詳細な説明】
【技術分野】
【０００１】
本発明の実施形態は、モバイル端末及び自動改札機又はこれらを用いた自動改札システムに関する。
【背景技術】
【０００２】
近年、ＩＣＳＦカード（以下、ＳＦカードと称する。）などチャージ可能な非接触ＩＣカードを用いて自動改札機を利用することが可能になってきた。また、おサイフ携帯（Ｒ）で知られている携帯電話などのモバイル端末を用いて自動改札を利用することも可能である。
【０００３】
前者のＳＦカードは、定期券として使用される場合には、表面に有効期限、乗車期間などが表示される。
【０００４】
一方、後者のモバイル端末は、携帯電話として使用されるために、キー入力可能な操作部及び表示部が一体として又は分離して備えられているものが知られているが、一般的には、当該表示部に有効期限、乗車区間等が表示されていないのが一般的である。
【０００５】
なお、携帯端末装置において、当該携帯端末の電子マネーの残高が所定額以下となった場合、設定されたタイミングで当該携帯端末に対する音声案内を行う方法、及び有効期限が所定の日数以下となったことを通知する方法が知られている（例えば、特許文献１参照。）。
【０００６】
なお、ＩＣＳＦカードとは、ＳＦ（Ｓｔｏｒｅｄ  Ｆａｒｅ：カードに運賃を貯めておく）により旅客の運送などに供するＩＣカードをいう。
【先行技術文献】
【特許文献】
【０００７】
【特許文献１】特開２００９−２６５９９７号公報（第４頁、図１）
【発明の概要】
【発明が解決しようとする課題】
【０００８】
従来、上述したモバイル端末は、定期券及びＳＦカード機能を有するＩＣカードとして自動改札機を利用することができる。定期券として利用した場合は、乗車料金（運賃）は所定の割引料金で利用することができる。当該モバイル端末を定期券として自動改札機を利用する場合、当該モバイル端末に定期券の有効期限、乗車区間などが表示されないため、当該有効期限が切れていることに気づかないまま乗車する可能性がある。いわゆるうっかり乗車である。この場合、当該乗車料金は、ＳＦカードとしてチャージされているチャージ残額から当該乗車区間の通常料金が差し引かれることになり、割引料金が適用されないという課題がある。
【０００９】
本発明は、上記課題を解決するためになされたもので、モバイル端末の制御部が記憶部の有効期限を参照し、期限切れが近い場合に、又は期限切れ後の所定の回数、期限切れ情報を利用者に通知する機能を備えたモバイル端末及び自動改札機又はこれらを用いた自動改札システムを提供することを目的とする。
【課題を解決するための手段】
【００１０】
上記目的を達成するために、本発明の請求項１記載のモバイル端末は、自動改札機と非接触通信可能なモバイル端末であって、前記自動改札機と非接触で送受信可能な通信部と、当該モバイル端末を乗車券として使用する場合の乗車情報を記憶する記憶部と、当該モバイル端末への入出力手段としての操作表示部と、当該モバイル端末を振動させる振動部と、前記自動改札機から受信した乗車情報要求に基づいて、前記記憶部にアクセスして読出した乗車情報を当該モバイル端末の通信部を介して前記自動改札機に送信し、当該モバイル端末の通信部が前記自動改札機から受信した期限切れ判定結果に基づいて、前記操作表示部に有効期限切れの注意文言を表示し、かつ、前記振動部を駆動する制御部と、を備えたことを特徴とするモバイル端末。
【図面の簡単な説明】
【００１１】
【図１】実施例１に係る自動改札システムの一例
【図２】実施例１に係る自動改札機及びモバイル端末の情報の流れを示すブロック図
【図３】実施例１に係る自動改札機の案内表示部の表示例
【図４】実施例２に係る自動改札機及びモバイル端末の情報の流れを示すブロック図
【発明を実施するための形態】
【００１２】
実施例１及び実施例２記載の自動改札システムは、モバイル端末、自動改札機及び窓口処理機などがＬＡＮなどの通信回線を介して上位装置に通信可能に接続されて構成される。実施例１は、モバイル端末の定期券としての終了年月日前にまもなく有効期限切れになる旨を通知する場合について説明しており、また、実施例２は、モバイル端末の定期券としての終了年月日後に有効期限切れになった旨を通知する場合について説明している。なお、当該モバイル端末は、定期券及びＳＦカード機能を備えているものとして、以下図面を参照して本発明の実施例１及び実施例２を説明する。
【実施例１】
【００１３】
図１は、本発明の実施例１に係る自動改札システムで、自動改札機３０及び窓口処理機４０がＬＡＮ６０を介して上位装置５０対して通信可能に接続される。
【００１４】
自動改札機３０には、ＩＣカード又は携帯電話などのモバイル端末７０と非接触通信可能なＩＣカード読取部（通信部）３１が設けられている。モバイル端末７０を所持する利用者が当該モバイル端末７０をＩＣカード読取部３１に翳すと、モバイル端末７０の乗車情報はＩＣカード読取部３１によって読取られ、通行の可否が判定される。その際、チャージ残額が、案内表示部３２に表示される。また、通行の可否判定結果に基づいてゲート３３（３３ａ、３３ｂの総称）が開閉駆動される。これら一連の動作は、自動改札機内部に設けられたＣＰＵ（Ｃｅｎｔｒａｌ  Ｐｒｏｃｅｓｓｉｎｇ  Ｕｎｉｔ：中央処理装置）、メモリ、Ｉ／Ｏ（Ｉｎｐｕｔ  Ｏｕｔｐｕｔ）などにより構成された制御部によって制御される。
【００１５】
窓口処理機４０は、係員操作部４１、チャージ部４２、客用表示部４４及びＩＣカードリーダライタ４５などで構成され、駅係員によって操作される。
【００１６】
上位装置５０は、管轄する駅又は管轄するエリアに配置され、自動改札機３０及び窓口処理機４０とＬＡＮ６０を介して通信可能に接続される。なお、図示した例では、自動改札機などの装置が各１台ＬＡＮに接続された場合を示しているが、駅の規模により駅に複数台設置されて運用されるのが一般的である。また、自動券売機（図示しない）、定期券発行機（図示しない）なども接続される。その場合には、当該ＬＡＮにもこれらの装置が複数台接続されて自動改札システムが構成される。
【００１７】
また、この上位装置５０は、図示しないセンター装置と接続される。上述したモバイル端末の個人ＩＤや乗車情報はこの上位装置を介してセンター装置に送信される。センター装置は、このＩＤに関連付けてセンター装置が管理する記憶装置に検索可能に保存される。
【００１８】
本実施例では、このように構成された自動改札システムにおいて、期限切れ前モバイル端末７０を利用する利用者に期限切れが近いことを通知する自動改札システムを提供する。
【００１９】
なお、自動改札機３０の案内表示部３２には期限切れ前の所定の期間（例えば、期限切れ前７日間）期限切れの案内が行われる。
【００２０】
しかしながら、自動改札機３０を利用する利用客が連続した場合には、当該案内表示部３２に表示された内容が誰に対するメッセージであるか判別しにくい場合があり、当該表示内容を確認せずに当該自動改札機３０を通過する利用客が多い。そのような場合には、利用者が所持するモバイル端末７０に期限切れが近いことを通知するメッセージは有効である。
【００２１】
図２は、自動改札機３０及びモバイル端末７０の情報の流れを示すブロック図である。モバイル端末７０を所持する利用者が、当該モバイル端末７０を自動改札機３０のＩＣカード読取部３１に翳すと、モバイル端末７０の制御部７２は、自動改札機３０から送信された乗車情報要求を受信する（Ｓ１）。
【００２２】
モバイル端末７０の通信部７５は自動改札機３０から受信した乗車情報要求（Ｓ１）を制御部７２に出力する。制御部７２は、記憶部７３にアクセスし（Ｓ２）、記憶部７３から乗車情報を読み出す（Ｓ３）。制御部７２は、当該読み出した乗車情報を自動改札機３０に送信する（Ｓ４）。
【００２３】
自動改札機３０のＩＣカード読取部（通信部）３１は、モバイル端末７０から受信した乗車情報を制御部３５に出力する。制御部３５は、当該乗車情報の乗車判定を行い（乗車判定手段）、その判定結果に基づき、ゲート３３（３３ａ、３３ｂの総称）を駆動し（駆動手段）、入出場の可否を行う。
【００２４】
制御部３５はまた、モバイル端末７０が乗車券として使用された当日が、当該乗車情報の中の定期券の終了年月日前の所定の期間内に含まれるか期限切れ判定を行う（期限切れ判定手段）。
【００２５】
この期限切れ判定の結果、当該所定の期間（例えば、7日）に含まれる場合には、まもなく定期券が期限切れになることを示す期限切れ案内文言を入出力手段としての案内表示部３２に出力する（案内表示手段）。
【００２６】
案内表示部３２は、制御部３５から出力された、下記（１）に示す期限切れ案内文言を表示する。図３は、期限切れ案内文言の一例である。  
引去額：３００円
残額  ：１０００円
定期券のご購入はお早めに・・・・・・・・（１）
【００２７】
また、自動改札機３０は、上記乗車判定結果及び期限切れ判定結果を判定情報としてモバイル端末７０に送信する（Ｓ５）。
【００２８】
モバイル端末７０の通信部７５は、自動改札機３０から送信された判定情報を受信し（Ｓ５）、制御部７２に出力する。制御部７２は、当該判定情報の中の、期限切れ判定結果が期限切れ前の所定の期間（例えば、7日）に含まれる場合は、操作表示部７１に対して下記に示す期限切れ注意文言を出力する（Ｓ６）。
【００２９】
操作表示部（入出力手段）７１は、制御部７２から出力された、下記（２）に示す期限切れ注意文言を表示する。図２の操作表示部７１に示す期限切れ注意文言はその一例である。  
□月□日で定期券の有効期限が切れます。  
ご注意ください。・・・・・・・・・・・（２）
なお、この期限切れ注意文言は、モバイル端末７０側で設定される。  
さらに、制御部７２は、期限切れ判定結果が期限切れである場合、振動部７４を駆動する（Ｓ７）。この振動部７４が駆動されることによりモバイル端末７０本体が振動することにより、当該モバイル端末を所持する利用者に通知する。
【００３０】
以上説明したように本発明の実施例１によれば、定期券の期限切れ前の所定の期間（例えば、7日）内にモバイル端末７０が使用された場合に自動改札機３０の案内表示部３２及びモバイル端末７０の操作表示部７１に期限切れを通知することができるため、期限切れ後にチャージ残額から当該乗車区間の通常料金が知らずに差し引かれることを防止することができる。
【実施例２】
【００３１】
図４は、実施例２に係る自動改札機及びモバイル端末の情報の流れを示すブロック図である。実施例１は、期限切れ前の所定の期間（例えば、7日）内にモバイル端末７０が使用された場合に自動改札機３０の案内表示部３２及びモバイル端末７０の操作表示部７１に期限切れを通知する自動改札機システム又はそれに用いられる自動改札機及びモバイル端末について説明した。
【００３２】
実施例２は、期限切れ後にモバイル端末７０が使用された場合に自動改札機３０の案内表示部３２及びモバイル端末７０の操作表示部７１に期限切れを通知する自動改札システム又はそれに用いられる自動改札機及びモバイル端末について説明する。
【００３３】
実施例２の自動改札システムは実施例１を構成する自動改札機３０及びモバイル端末７０で構成され、基本的な動作は実施例１同様である。
【００３４】
実施例２のステップＳ１５において、自動改札機３０は、当該モバイル端末７０が乗車券として使用された当日が、当該乗車情報の中の定期券の終了年月日後の所定の期間内に含まれるか期限切れ判定を行う。この期限切れ判定の結果、当該所定の期間（例えば、３０日）に含まれる場合には、すでに定期券が期限切れになっていることを示す。自動改札機３０は、上記乗車判定結果及び期限切れ判定結果を判定情報としてモバイル端末７０に送信する（Ｓ１５）。
【００３５】
制御部７２は、上記判定情報を受信し、当該判定情報の中の、期限切れ判定結果に基ずく当日が期限切れ後の所定の期間内で、かつ所定の回数（例えば、６回）に到達していなければ、操作表示部７１に対して下記に示す期限切れ注意文言を出力する（Ｓ１６）。
【００３６】
操作表示部７１は、制御部７２から出力された、下記（３）に示す期限切れ注意文言を表示する。図４に示す操作表示部７１に示す期限切れ注意文言はその一例である。  
月□日で定期券の有効期限が切れました。  
ご注意ください。・・・・・・・・・・・・（３）
上記（３）に示した期限切れ注意文言は、モバイル端末７０側で設定される。
【００３７】
さらに、制御部７２は、期限切れ判定結果が期限切れである場合、振動部（振動部）７４を駆動する（Ｓ１７）。この振動部７４が駆動されることによりモバイル端末７０本体が振動することにより、当該モバイル端末を所持する利用者に通知する。
【００３８】
なお、本実施例２では、自動改札機３０の案内表示部３２に表示する期限切れ案内文言は上記（１）と同様にすることができる。自動改札機３０では、モバイル端末７０を利用する利用者に対して、定期券の終了年月日の前後の所定期間内に定期券が期限切れになるので、又は、なったので、定期券の購入を勧めれば足りるからである。
【００３９】
また、期限切れ後の所定期間を３０日にしたのは、長期休暇などで長期間使用しない場合があることを考慮したためである。また、所定の回数を６回にしたのは、鉄道を１回利用するごとに入場と出場の計２回期限切れ通知が行われるため、鉄道を３回利用する間に６回期限切れ通知が行われることになり、モバイル端末を所持する利用者に対する通知としては十分な回数となるからである。また、定期券の利用が終了した利用客にとって、重ねて期限切れ通知が行われるのは、利用者にとって快適な利用形態とは言えないからである。しかしながら、この期間及び回数は利用の態様に応じて設定することができるのは言うに及ばない。
【００４０】
以上説明したように本発明の実施例２によれば、定期券の期限切れ後の所定の期間（例えば、7日）内にモバイル端末７０が使用された場合に自動改札機３０の案内表示部３２及びモバイル端末７０の操作表示部７１に期限切れを通知することができるため、チャージ残額から当該乗車区間の通常料金が知らずに差し引かれることを防止することができる。
【符号の説明】
【００４１】
３０  自動改札機
３１  ＩＣカード読取部
３２  案内表示部
３３ａ、３３ｂ  ゲート
４０  窓口処理機
７０  モバイル端末
７１  操作表示部
７２  制御部
７３  記憶部
７４  振動部
７５  通信部
【図１】
2012230497.tif 000003
【図２】
2012230497.tif 000004
【図３】
2012230497.tif 000005
【図４】
2012230497.tif 000006